(57)【要約】      （修正有）【課題】高齢者のように、引締め力を十分に発揮することができない者であっても、容易に引締め力を発揮することができるコルセットを提供する。【解決手段】コルセット１０は、ベルト本体２０と、胴回りを締めつけることができる左胴締め付けベルト４１Ｌおよび右胴締め付けベルト４１Ｒと、腰回りを締め付けることができる左胴作動ベルト４５Ｌと右胴作動ベルト４５Ｒとを有している。また、第１環体５０Ｌと第２環体５０Ｒ、および第３環体５１Ｌと第４環体５１Ｒを有し、第１環体５０Ｌ、第２環体５０Ｒおよび第３環体５１Ｌ、第４環体５１Ｒは、動滑車としての役割を有するために、力のない者でも、同時に、左胴締め付けベルト４１Ｌ、右胴締め付けベルト４１Ｒ、表左胴締め付けベルト４２Ｌ、表右胴締め付けベルト４２Ｒ、裏左胴締め付けベルト４３Ｌ、裏右胴締め付けベルト４３Ｒが有する伸縮力に対抗して、容易に引っ張ることができる。【選択図】図１
2016054793.tif 000002
【特許請求の範囲】
【請求項１】
胴回りに巻回して止着することができるベルト本体と胴回りを締め付けることができる右胴締め付けベルトと左胴締め付けベルトと、腰回りを締め付けることができる左腰締め付けベルトと右腰締め付けベルトと、前記左胴締め付けベルトを引き締める左胴作動ベルトと、前記右胴締め付けベルトを引き締める右胴作動ベルトと、前記左腰締め付けベルトを引き締める左腰作動ベルトと、前記右腰締め付けベルトを引き締める右腰作動ベルトを有するコルセットであって、前記左胴締め付けベルトの一端をベルト本体に固定し、他端を第１環体に固定し、前記右胴締め付けベルトの一端をベルト本体に固定し、他端を第２環体に固定し、前記左腰締め付けベルトの一端をベルト本体に固定し、他端を第３環体に固定し、前記右腰締め付けベルトの一端をベルト本体に固定し、他端を第４環体に固定し、前記左胴作動ベルトの一端はベルト本体に固定し、かつ前記第１環体の環状部に移動可能に挿通し、前記右胴作動ベルトの一端はベルト本体に固定し、かつ前記第２環体の環状部に移動可能に挿通し、
前記左腰作動ベルトの一端はベルト本体に固定し、かつ前記第３環体の環状部に移動可能に挿通し、前記右腰作動ベルトの一端はベルト本体に固定し、かつ前記第４環体の環状部に移動可能に挿通し、
前記左胴作動ベルトの他端と前記左腰作動ベルトの他端が接続された左端部と、
前記右胴作動ベルトの他端と前記右腰作動ベルトの他端が接続された右端部を、
それぞれ引きつけることで、前記第１環体、第２環体、第３環体、第４環体が移動することで胴回りおよび腰回りを引き締めることを特徴とするコルセット
【請求項２】
前記左胴作動ベルトと前記右胴作動ベルトが一体でありかつ前記左腰作動ベルトと前記右腰作動ベルトが一体であることを特徴とする請求項１記載のコルセット
【請求項３】
前記左胴締め付けベルトは表左胴締め付けベルトと裏左胴締め付けベルトを有し、前記右胴締め付けベルトは表右胴締め付けベルとト裏右胴締め付けベルトを有し、表左胴締め付けベルトと表右胴締め付けベルトの一端部と、裏左胴締め付けベルトと裏右胴締め付けベルトの一端部とがベルト本体の短手方向にずれて固定することを特徴とする請求項１または２記載のコルセット
【請求項４】
表左胴締め付けベルトと表右胴締め付けベルトが一体であり、かつ、裏左胴締め付けベルトと裏右胴締め付けベルトが一体であることを特徴とする請求項３記載のコルセット
【請求項５】
前記第１環体と第３環体および第２環体の第４環体のそれぞれがベルト本体の長手方向にずれていることを特徴とする請求項１から４いずれか１項記載のコルセット
【請求項６】
前記ベルト本体におけるメッシュ部と裏メッシュ部の間に補強部材を配置したことを特徴とする請求項１から５いずれか１項記載のコルセット
【発明の詳細な説明】
【技術分野】
【０００１】
本発明は、腹部および腰に巻きつけるコルセットに関するものである。
【背景技術】
【０００２】
哺乳動物の進化の過程によって、４本足歩行から２足歩行に進化するにつれて、頭を支えるとともに、衝撃を吸収し柔軟な動きを可能にするために、人類はＳ字カーブ状の脊柱を獲得した。
【０００３】
この脊柱は椎骨と椎間板からなり、椎間板は、クッションの役割を果たすものである。また脊柱は、靭帯、腹筋、背筋などで支えられている。しかしながら、加齢とともに、あるいは、けがにより筋力が弱まると、脊柱におけるＳ字カーブの形状が崩れ腰痛の原因となる場合がある。
【０００４】
そのような場合、腰回りにコルセットを使用することにより腹部に圧力を与え腹腔圧を高めることで腰椎にかかる負担を軽くすることができる。
【０００５】
このようなものとして特開２０１３−１３５７０３号公報において、着衣の上から装着し、腰椎をサポートするウエストサポーターであって、腰椎を支持する支持部と前記支持部の両側に位置し横腹から腹部に巻き付くベルト部とが一体的に形成されたベルト本体を有し、前記両ベルト部には、互いを固定可能な固定手段が設けられ、前記ベルト本体は、２枚の伸縮性を有する生地と、前記２枚の生地の間であって前記生地の外周に沿うように配置された芯材とが重ね合され縫製され、前記２枚の生地は共に、縦方向と横方向との伸縮性が異なり、生地の伸縮性の大きい方向とベルト本体の長手方向とが一致することを特徴とするウエストサポーターが開示されている。
【０００６】
上記発明は、腹部に圧力を与え腹腔圧を高めることで腰椎にかかる負担を軽くし、腰全体に係る負担を軽減することができるものであり、上記発明のウエストサポーターは、無理なく長時間装着することが可能であり、シャツ、セーターなど着衣の上から装着し腰椎を外部からサポートすることで安定を得て腰痛を予防することができる。さらにファッション性にも優れるので、シャツ、セーターなど着衣の上に装着しても違和感がないというものである。
【０００７】
しかしながら、ベルト本体を腰の周りに巻きつける際に、当該ベルト本体をきつく引締めなければ、腹部に圧力を与え腹腔圧を高めることができない。特に高齢者にはそのような引締める力を発揮することが困難であり、コルセットとしての機能を十分に発揮することができないという問題がある。また、上記発明は腰部をサポートすると同時に腹腔圧を高めることができるものの、背中側を固定することができないので、背中部分の過度な反り返りを防止し、腰全体に係る負担を軽減することができない。また、複雑な構成のために製作コストが嵩むおそれがある。
【０００８】
【特許文献１】特開２０１３−１３５７０３号公報
【発明の開示】
【発明が解決しようとする課題】
【０００９】
本発明は前記の点に着目してなされたもので、その課題は、高齢者のように、引締め力を十分に発揮することができない者であっても、容易に引締め力を発揮することができるコルセットを提供することを課題とする。また、腰回りのみならず背中周りをも同時に締め付けることができるコルセットを提供することを課題とする。さらに、締め付ける際に引っかかることのなくスムーズに引き締めることができるコルセットを提供することを課題とする。また、製作コストを可及的に軽減することを課題とする。
【００１０】
前記の課題を解決するため、本発明は、胴回りに巻回して止着することができるベルト本体と胴回りを締め付けることができる右胴締め付けベルトと左胴締め付けベルトと、腰回りを締め付けることができる左腰締め付けベルトと右腰締め付けベルトと、前記左胴締め付けベルトを引き締める左胴作動ベルトと、前記右胴締め付けベルトを引き締める右胴作動ベルトと、前記左腰締め付けベルトを引き締める左腰作動ベルトと、前記右腰締め付けベルトを引き締める右腰作動ベルトを有するコルセットであって、前記左胴締め付けベルトの一端をベルト本体に固定し、他端を第１環体に固定し、前記右胴締め付けベルトの一端をベルト本体に固定し、他端を第２環体に固定し、前記左腰締め付けベルトの一端をベルト本体に固定し、他端を第３環体に固定し、前記右腰締め付けベルトの一端をベルト本体に固定し、他端を第４環体に固定し、前記左胴作動ベルトの一端はベルト本体に固定し、かつ前記第１環体の環状部に移動可能に挿通し、前記右胴作動ベルトの一端はベルト本体に固定し、かつ前記第２環体の環状部に移動可能に挿通し、
前記左腰作動ベルトの一端はベルト本体に固定し、かつ前記第３環体の環状部に移動可能に挿通し、前記右腰作動ベルトの一端はベルト本体に固定し、かつ前記第４環体の環状部に移動可能に挿通し、
前記左胴作動ベルトの他端と前記左腰作動ベルトの他端が接続された左端部と、
前記右胴作動ベルトの他端と前記右腰作動ベルトの他端が接続された右端部を、
それぞれ引きつけることで、前記第１環体、第２環体、第３環体、第４環体が移動することで胴回りおよび腰回りを引き締めるという手段を講じたものである。
【００１１】
上記のコルセットにおいて、腰の周りにベルト本体を巻きつけて止着したのちに、左胴作動ベルトの他端と前記左腰作動ベルトの他端が接続された左端部と、前記右胴作動ベルトの他端と前記右腰作動ベルトの他端が接続された右端部を、それぞれ手に持ち、そのそれぞれ引きつける。すなわち使用者の腰から体の正面に向かって前記左胴作動ベルトの他端と前記左腰作動ベルトの他端が接続された左端部と、前記右胴作動ベルトの他端と前記右腰作動ベルトの他端が接続された右端部を、引き付ければ、同時に、第１環体、第２環体、第３環体、第４環体がそれぞれ使用者におけるほぼ腰の位置から体の正面の方向に向かって移動することで、容易に、右胴締め付けベルトおよび左胴締め付けベルトと、左腰締め付けベルトおよび右腰締め付けベルトを同時に引締めることができる。すなわち、第１環体、第２環体、第３環体、第４環体がいわば、動滑車としての役割を果たすために、伸縮力を有する右胴締め付けベルト、左胴締め付けベルトおよび、左腰締め付けベルト、右腰締め付けベルトをその伸縮力に反して容易に引きつけることができる。したがって、引きつける力を十分に発揮することのできない高齢者においても、同時に腰回りのみならず胴回りひいては背部を締め付けることができ、容易に固定することができるとともに腹部に圧力を与え腹腔圧を高めることができる。
【００１２】
前記の課題を解決するため、本発明は、上記コルセットにおいて前記左胴作動ベルトと前記右胴作動ベルトが一体でありかつ前記左腰作動ベルトと前記右腰作動ベルトが一体であるという手段を講じたものである。このようにすることで、製作コストを可及的に軽減することができる。
【００１３】
前記の課題を解決するため、本発明は、上記コルセットにおいて、前記左胴締め付けベルトは表左胴締め付けベルトと裏左胴締め付けベルトを有し、前記右胴締め付けベルトは表右胴締め付けベルトと裏右胴締め付けベルトを有し、表左胴締め付けベルトと表右胴締め付けベルトの一端部と、裏左胴締め付けベルトと裏右胴締め付けベルトの一端部とがベルト本体の短手方向にずれて固定するという手段を講じたものである。
【００１４】
上記発明により胴回りを、表左胴締め付けベルトと表右胴締め付けベルトおよび、裏左胴締め付けベルトと裏右胴締め付けベルトにおいてそれぞれ、短手方向にずれて固定することで、そのずれて固定した２か所で背中部分を抑えることができるので、背中部分を比較的広範囲に締め付けて保持することができるというものである。
【００１５】
前記の課題を解決するため、本発明は、上記コルセットにおいて、表左胴締め付けベルトと表右胴締め付けベルトが一体であり、かつ、裏左胴締め付けベルトと裏右胴締め付けベルトが一体であるという手段を講じたものである。このようにすることで、製作コストを可及的に軽減することができる。
【００１６】
前記の課題を解決するため、本発明は、上記コルセットにおいて、前記第１環体と第３環体および第２環体と第４環体が、それぞれ、ベルト本体の長手方向にずれているという手段を講じたものである。左胴作動ベルトの他端と前記左腰作動ベルトの他端を接続した左端部と、前記右胴作動ベルトの他端と前記右腰作動ベルトの他端を接続した右端部を引きつけると、前記第１環体と第３環体が徐々に接近し接触する恐れがあるものの、それらがベルト本体の長手方向にずれているという手段を講じているのでそれらが接触する恐れが軽減され、また、第２環体と第４環体も同様であるために、締め付ける際に前記第１環体と第３環体、前記第２環体と第４環体の接触による引っかかりがなくなり、スムーズに引き締めることができるコルセットを提供することができる。
【００１７】
前記の課題を解決するため、本発明は、上記コルセットにおいて前記ベルト本体におけるメッシュ部と裏メッシュ部の間に補強部材を配置したという手段を講じたものである。このように補強部材をメッシュ部と裏メッシュ部の間に配置することで、当該コルセットを体に巻きつけた際に背中側を固定することができ、過度な反り返りを防止し、腰全体に係る負担を軽減することができるというものである。
【発明の効果】
【００１８】
本発明は、以上の如く構成されるため、高齢者のように、引締め力を十分に発揮することができない者であっても、容易に引締め力を発揮することができるコルセットを提供することができる。また、腰回りのみならず背中周りをも同時に締め付けることができるコルセットを提供することができる。さらに、締め付ける際に引っかかることのないコルセットを提供することができる。また、製作コストを可及的に軽減することができる。
【図面の簡単な説明】
【００１９】
【図１】コルセットの正面図
【図２】コルセットの背面図
【図３】作動ベルトを固定しない状態におけるコルセットの正面図
【図４】コルセットの装着を開始した状態の正面図
【図５】コルセットにおけるベルト本体を装着した状態の正面図
【図６】コルセットにおけるベルト本体を装着した状態の背面図
【図７】コルセットにおける作動ベルトを引き付けて固定した状態の正面図
【図８】コルセットにおける作動ベルトを引き付けて固定した状態の背面図
【発明を実施するための最良の形態】
【００２０】
コルセット１０は、ベルト本体２０と、胴回りを締めつけることができる左胴締め付けベルト４１Ｌおよび右胴締め付けベルト４１Ｒと、腰回りを締め付けることができる左腰締め付けベルト４５Ｌと右腰締め付けベルト４５Ｒとを有している。また、第１環体５０Ｌと第２環体５０Ｒ、および第３環体５１Ｌと第４環体５１Ｒを有している。
【００２１】
ベルト本体２０の中央部はメッシュ部２１を有し、その両脇に伸縮帯２３Ｌ，２３Ｒを有し、前記伸縮帯２３Ｌの左端部に雌側左止着部２４Ｌを有している。また、前記伸縮帯２３Ｒの右端部に雌側右止着部２４Ｒを有している。ベルト本体２０は、使用者の腰回りに巻きつけるために長手方向Ｈに十分な長さを有し、メッシュ部２１の中央部は、短手方向Ｖに幅広な構成である。
【００２２】
メッシュ部２１は、縦枠３２Ｌと縦枠３２Ｒの間に配置されている。また、さらに縦枠３１Ｌと縦枠３１Ｒの間については、メッシュ部２１の裏側から裏メッシュ部２２を重ねて配置している（図２参照）。従って、縦枠３１Ｌと縦枠３１Ｒの間については、メッシュ部２１に裏メッシュ部２２を縫着した２重構造となり、当該２重構造の内部に補強部材３５、３５を配置している。また、当該補強部材３５、３５には軽量化のために複数の孔部３６を設けている。また、補強部材３５、３５は、合成樹脂からなるものであり、背中部分を支えるものである。このように、メッシュ部２１と、メッシュ部２１に裏メッシュ部２２を縫着した２重構造の部分は、メッシュ構造を有する高強度の布材を張ることによって通気性を確保している。なお、裏メッシュ部２２は、コルセット１０を装着した際に背中と直接触れるところであり、前記補強部材３５、３５のあたりを和らげるために当該裏メッシュ部２２の間にクッション性を有する緩衝材を入れることができる。例えばウレタン類あるいはスポンジ類を配置することができる。また、裏メッシュ部２２を、いわゆるダブルラッセル織とし、クッション性を有するように構成することも好ましい。
【００２３】
また、縦枠３０により縦枠３２Ｌと縦枠３２Ｒの間が２室に分割されており、前記補強部材３５、３５が、それぞれ単独で配置されている。このように、配置されていることにより補強部材３５、３５は、動くことなくほぼ固定されている。
【００２４】
また縦枠３２Ｌと縦枠３３Ｌの間に配置されている伸縮部２３Ｌと、縦枠３２Ｒと縦枠３３Ｒの間に配置されている伸縮部２３Ｒは、強力な弾力性を有する伸縮可能部分であり、伸縮部２３Ｌおよび伸縮部２３Ｒは弾力性に基づく緊締力で腹部および腰部を固定するために、ベルト本体長手方向Ｈに伸縮可能な弾力性布材を張設して形成されており、布材の弾力性による緊締力は、後述する雌側左止着部２４Ｌの任意の位置に止着した雄側止着部２５を介し、伸縮部２３Ｌおよび伸縮部２３Ｒは弾力性による緊締力は、腹部および腰回りに伝えられる。
【００２５】
上記縦枠３３Ｌの左側に雌側左止着部２４Ｌが配置され、縦枠３３Ｒの右側に雌側右止着部２４Ｒが配置されている。それらは、ともに雌側面ファスナーで構成されており、長手方向Ｈに一定の長さを有している。また、雌側右止着部２４Ｒの裏側の端部には、雄側止着部２５を有している。これは雄側面ファスナーで構成され、前記雌側左止着部２４Ｌにおける、雌側面ファスナーに着脱可能に止着することができる。この場合、使用者の胴回りのサイズに応じて前記雌側左止着部２４Ｌの任意の位置に前記雄側止着部２５を止着することができることはいうまでもない。なお、雄側面ファスナーとは細かい複数のフック状の部材を設けた周知のものであり、雌側面ファスナーとは細かい多数のループ状の部材を設けた周知のものであり、それらが逆であるか、または、フックとループの混合したものであっても好ましい。
【００２６】
また、前記左胴締め付けベルト４１Ｌの他端は第１環体５０Ｌにおける縫着部５０ＬＰに縫着して固定されている。また、前記右胴締め付けベルト４１Ｒの他端は第２環体５０Ｒにおける縫着部５０ＲＰに縫着して固定されている。
【００２７】
前記左胴締め付けベルト４１Ｌは、表左胴締め付けベルト４２Ｌと裏左胴締め付けベルト４３Ｌを有する２重構造とすることができる。また、右胴締め付けベルト４１Ｒは表右胴締め付けベルト４２Ｒ裏右胴締め付けベルト４３Ｒを有する２重構造とすることができる（図３参照）。
【００２８】
表左胴締め付けベルト４２Ｌと表右胴締め付けベルト４２Ｒの一端は、上記縦枠３０における位置３０Ａにおいてそれぞれ縫着され、ベルト本体２０に固定されている。また裏左胴締め付けベルト４３Ｌと裏右胴締め付けベルト４３Ｒの一端も、上記縦枠３０における位置３０Ｂにおいてそれぞれ縫着されている。前記表左胴締め付けベルト４２Ｌと表右胴締め付けベルト４２Ｒと縦枠３０との縫着した位置３０Ａと、前記裏左胴締め付けベルト４３Ｌと裏右胴締め付けベルト４３Ｒの一端を縫着した位置３０Ｂとは重なることなく短手方向ＶにＶ１だけずらして固定されている（図８参照）。
【００２９】
なお、表左胴締め付けベルト４２Ｌと表右胴締め付けベルト４２Ｒは一体あるいは別体とすることができ、裏左胴締め付けベルト４３Ｌと裏右胴締め付けベルト４３Ｒも一体あるいは別体とすることができる。一体とは、たとえば、表左胴締め付けベルト４２Ｌと表右胴締め付けベルト４２Ｒは、１つのベルトという意味であり、裏左胴締め付けベルト４３Ｌと裏右胴締め付けベルト４３Ｒについても１つのベルトという意味である。
【００３０】
また、左腰締め付けベルト４５Ｌについても２重に配置されており、それぞれ、表左腰締め付けベルト４６Ｌと裏腰締め付けベルト４７Ｌを有する。また、右腰締め付けベルト４５Ｒも同様に、２重に配置されており、それぞれ、表腰締め付けベルト４６Ｒと裏腰締め付けベルト４７Ｒを有している。
【００３１】
前記表左腰締め付けベルト４６Ｌと裏腰締め付けベルト４７Ｌを有している前記左腰締め付けベルト４５Ｌの他端は、第３環体５１Ｌにおける縫着部５１ＬＰに縫着して固定することができる。また、表右腰締め付けベルト４６Ｒと裏右腰締め付けベルト４７Ｒを有している前記右腰胴締め付けベルト４５Ｒの他端は、第４環体５１Ｒにおける縫着部５１ＲＰに縫着して固定することができる。すなわち、前記表左腰締め付けベルト４６Ｌと裏左腰締め付けベルト４７Ｌの他端は、第３環体５１Ｌにおける縫着部５１ＬＰに縫着して固定することができる。また、前記右腰締め付けベルト４５Ｒの他端は第４環体５１Ｒにおける縫着部５１ＲＰに縫着して固定することができる。すなわち、表右腰締め付けベルト４６Ｒと裏右腰締め付けベルト４７Ｒの他端は、第４環体５１Ｒにおける縫着部５１ＲＰに縫着して固定することができる。
【００３２】
表左腰締め付けベルト４６Ｌと表右腰締め付けベルト４６Ｒの一端は、上記縦枠３０における位置３０Ｃにおいて縫着され、ベルト本体２０に固定されている。また裏左腰締め付けベルト４７Ｌと裏右腰締め付けベルト４７Ｒの一端も、上記縦枠３０における位置３０Ｃにおいて重ねて縫着されている。従って、表左腰締め付けベルト４６Ｌと裏左腰締め付けベルト４７Ｌは重なる構成であり、表右腰締め付けベルト４７Ｒと裏右腰締め付けベルト４７Ｒも重なる構成である。
【００３３】
なお、表左腰締め付けベルト４６Ｌと表右腰締め付けベルト４６Ｒは一体あるいは別体とすることができ、裏左腰締め付けベルト４７Ｌと裏右腰締め付けベルト４７Ｒも一体あるいは別体とすることができる。一体とは、たとえば、表左腰締め付けベルト４６Ｌと表右腰締め付けベルト４６Ｒは、１つのベルトという意味であり、裏左腰胴締め付けベルト４７Ｌと裏右腰締め付けベルト４７Ｒについても１つのベルトという意味である。
【００３４】
また、上記表左胴締め付けベルト４２Ｌ、裏左胴締め付けベルト４３Ｌ、表右胴締め付けベルト４２Ｒ、裏右胴締め付けベルト４３Ｒ、表左腰締め付けベルト４６Ｌと裏左腰締め付けベルト４７Ｌ、表右腰締め付けベルト４６Ｒと裏右腰締め付けベルト４７Ｒはそれぞれ、柔軟性および伸縮性を有するものである。
【００３５】
左胴作動ベルト６０Ｌの一端６０Ｌａは、縦枠３３Ｌにおける３３Ｌａに固定される。また、当該左胴作動ベルト６０Ｌは、第１環体５０Ｌの環状部５０ＬＳに移動自由に挿通している。また、左腰作動ベルト６１Ｌの一端６１Ｌａは、縦枠３３Ｌにおける３３Ｌｂに固定される。また、当該左腰作動ベルト６１Ｌは、第３環体５１Ｌの環状部５１ＬＳに移動自由に挿通している。
【００３６】
右胴作動ベルト６０Ｒの一端６０Ｒａは、縦枠３３Ｌにおける３３Ｒａに固定される。また、当該右胴作動ベルト６０Ｒは、第２環体５０Ｒの環状部５０ＲＳに移動自由に挿通している。また、右腰作動ベルト６１Ｒの一端６１Ｒａは、縦枠３３Ｒにおける３３Ｒｂに固定される。また、当該右腰作動ベルト６１Ｒは、第４環体５１Ｒの環状部５１ＲＳに移動自由に挿通している。
【００３７】
左胴作動ベルト６０Ｌの他端６０Ｌｂと左腰作動ベルト６１Ｌの他端６１Ｌｂは、左端部７０Ｌにおいて接続されている。また、右胴作動ベルト６０Ｒの他端６０Ｒｂと右腰作動ベルト６１Ｒの他端６１Ｒｂは右端部７０Ｒにおいて接続されている。本実施例においては左胴作動ベルト６０Ｌと左腰作動ベルト６１Ｌは一体のベルト状を呈しており、左胴作動ベルト６０Ｌの他端６０Ｌｂと左腰作動ベルト６１Ｌの他端６１Ｌｂが一体になっている部分は、その一体のベルト状のものを折り曲げて構成している。また同様に、右胴作動ベルト６０Ｒと右腰作動ベルト６１Ｒは一体のベルト状を呈しており、右胴作動ベルト６０Ｒの他端６０Ｒｂと右腰作動ベルト６１Ｒの他端６１Ｒｂが一体になっている部分は、その一体のベルト状のものを折り曲げて構成している。また、左胴作動ベルト６０Ｌの他端６０Ｌｂの裏面には、雄側面ファスナーからなる止着部６５Ｌを配置している。同様に、右胴作動ベルト６０Ｒの他端６０Ｒｂの裏面には、雄側面ファスナーからなる止着部６５Ｒを配置している。なお、左胴作動ベルト６０Ｌと左腰作動ベルト６１Ｌ、右胴作動ベルト６０Ｒと右左腰作動ベルト６１Ｒは伸縮性を有しないほうが好ましい。
【００３８】
上記構成のコルセット１０を胴回りに取り付ける（図４参照）。このときに、雌側右止着部２４Ｒの裏側の端部に配置している雄側止着部２５を雌側左止着部２４Ｌに止着する（図５、図６参照）。この場合に伸縮部２３Ｌおよび伸縮部２３Ｒを若干引き延ばされるので、上記のとおり、伸縮部２３Ｌおよび伸縮部２３Ｒは強力な弾力性を有する伸縮可能部分であり、当該伸縮部２３Ｌおよび伸縮部２３Ｒは弾力性に基づく緊締力で、腹部および腰部を締め付けて固定する。
【００３９】
このようにコルセット１０を腰回りに取り付ける。その後、左胴作動ベルト６０Ｌの他端６０Ｌｂと左腰作動ベルト６１Ｌの他端６１Ｌｂが一体になっている左端部７０Ｌと、右胴作動ベルト６０Ｒの他端６０Ｒｂと右腰作動ベルト６１Ｒの他端６１Ｒｂが一体になっている右端部７０Ｒをそれぞれ手に持ち、後述の方向に引っ張る。
【００４０】
左胴作動ベルト６０Ｌの一端６０Ｌａは、縦枠３３Ｌにおける３３Ｌａに固定され、左腰作動ベルト６１Ｌの一端６１Ｌａが、縦枠３３Ｌにおける３３Ｌｂに固定されているので、左胴作動ベルト６０Ｌの他端一端６０Ｌｂと、左腰作動ベルト６１Ｌの他端一端６１ＬＢが接続された左端部７０Ｌを矢印Ｌ方向に引くと（図６参照）、第１環体５０Ｌおよび第３環体５１Ｌも矢印Ｌ方向に引っ張られる。この場合、左胴作動ベルト６０Ｌは、第１環体５０Ｌの環状部５０ＬＳに移動自由に挿通され、左腰作動ベルト６１Ｌは第３環体５１Ｌの環状部５１ＬＳに移動自由に挿通されているので、前記第１環体５０Ｌおよび第３環体５１Ｌがいわば動滑車のような役割をはたし、前記第１環体５０Ｌに固定されている表左胴締め付けベルト４２Ｌと裏左胴締め付けベルト４３Ｌは、前記第１環体５０Ｌの矢印Ｌ方向への移動により、その伸縮力に反して伸ばされ、それによる締結力を発揮することにより腹部をさらに引き締めることができる。また、第３環体５１Ｌに固定されている表左腰締め付けベルト４６Ｌと裏左腰締め付けベルト４７Ｌについても、その伸縮力に反して伸ばされ、前記第３環体５１Ｌの矢印Ｒ方向への移動により、それによる締結力を発揮することにより腰部をさらに引き締めることができる。
【００４１】
同様に、右胴作動ベルト６０Ｒの一端６０Ｒａは、縦枠３３Ｒにおける３３Ｒａに固定され、右腰作動ベルト６１Ｒの他端６１Ｒｂが、縦枠３３Ｒにおける３３Ｒｂに固定されているので、右胴作動ベルト６０Ｒの他端６０Ｒｂと、右腰作動ベルト６１Ｒの他端６１Ｒｂが接続された右端部７０Ｒを矢印Ｒ方向に引くと（図６参照）、第２環体５０Ｒおよび第４環体５１Ｒが体も矢印Ｒ方向に張られる。この場合、右胴作動ベルト６０Ｒは、第２環体５０Ｒの環状部５０ＲＳに移動自由に挿通され、右腰作動ベルト６１Ｒは第４環体５１Ｒの環状部５１ＲＳに移動自由に挿通されているので、前記第２環体５０Ｒおよび第４環体５１Ｒがいわば動滑車のような役割をはたし、前記第２環体５０Ｒに固定されている表右胴締め付けベルト４２Ｒと裏右胴締め付けベルト４３Ｒは、前記第２環体５０Ｒの移動により、その伸縮力に反して伸ばされ、それによる締結力を発揮することにより腹部をさらに引き締めることができる。また、第４環体５１Ｒに固定されている表右腰締め付けベルト４６Ｒと裏右腰締め付けベルト４７Ｒについても、前記第４環体５１Ｒも矢印Ｒ方向への移動により、その伸縮力に反して伸ばされ、それによる締結力を発揮することにより腰部をさらに引き締めることができる（図７、図８参照）。従って、上記のとおり第１環体５０Ｌ、第２環体５０Ｒおよび第３環体５１Ｌ、第４環体５１Ｒは、動滑車としての役割を有するために、高齢者のような力のない者でも、左胴締め付けベルト４１Ｌ、右胴締め付けベルト４１Ｒ、表左胴締め付けベルト４２Ｌ、表右胴締め付けベルト４２Ｒ、裏左胴締め付けベルト４３Ｌ、裏右胴締め付けベルト４３Ｒが有する伸縮力に対向して、容易に引っ張ることができる。また、左端部７０Ｌと右端部７０Ｒを引けば、胴回りと腰回りを同時に締め付けることができる。
【００４２】
また、前記のとおり、表胴締め付けベルト４２Ｌと表胴締め付けベルト４２Ｒにおける縦枠３０における縫着された位置３０Ａと、裏胴締め付けベルト４３Ｌと裏胴締め付けベルト４３Ｒにおける縦枠３０における縫着された位置３０Ｂとは、縦枠３０において短手方向Ｖにずらして固定されているので、背中の広い部分を保持することができる。
【００４３】
また、前記のとおり、表左腰締め付けベルト４６Ｌと表右腰締め付けベルト４６Ｒは上記縦枠３０における位置３０Ｃおいて縫着され固定されている。また裏左腰締め付けベルト４７Ｌと裏右腰締め付けベルト４７Ｒも上記縦枠３０において、前記表腰締め付けベルト４６Ｌと表腰締め付けベルト４６Ｒが縦枠３０との縫着した箇所とほぼ同一の位置３０Ｃに固定されているので、表左腰締め付けベルト４６Ｌと表右腰締め付けベルト４６Ｒおよび裏左腰締め付けベルト４７Ｌと裏右腰締め付けベルト４７Ｒの締め付けにより、腰回りを確実に保持することができる（図７、図８参照）。
【００４４】
このような構成により腹部を必要以上に圧迫することなく広い範囲を保持することができ、背中周りをも同時に締め付けることができる。また、腰回りについては、確実に保持することができる。
【００４５】
また、第１環体５０Ｌと第３環体５１Ｌがベルト本体２０の長手方向ＨにＨ１だけずれているので、前記左端部７０Ｌを矢印Ｌ方向に引っ張ったとしても、前記第１環体５０Ｌと第３環体５１Ｌが接触するおそれは少ない。同様に、第２環体５０Ｒと第４環体５１Ｒがベルト本体２０の長手方向ＨにＨ２だけずれているので、前記右端部７０Ｒを矢印Ｒ方向に張ったとしても、前記第２環体５０Ｒと第４環体５１Ｒが接触するおそれは少ないのでスムーズに引き締めることができる（図８参照）。また、前記補強部材３５、３５が、ベルト本体２０におけるメッシュ部２１と裏メッシュ部２２の間それぞれ単独で配置されているので、当該コルセッ１０とを体に巻きつけた際に背中側を固定することができ、過度な反り返りを防止し、腰全体に係る負担を軽減することができる。
【符号の説明】
【００４６】
１０    コルセット
２０    ベルト本体
２１    メッシュ部
２２    裏メッシュ部
３５    補強部
４１Ｌ  左胴締め付けベルト
４１Ｒ  右胴締め付けベルト
４２Ｌ  表左胴締め付けベルト
４２Ｒ  表右胴締め付けベルト
４３Ｌ  裏左胴締め付けベルト
４３Ｒ  裏右胴締め付けベルト
４５Ｌ  左腰締め付けベルト
４５Ｒ  右腰締め付けベルト
５０Ｌ  第１環体５０
５０ＬＰ  第１環体における縫着部
５０ＬＳ  第１環体における環状部
５０Ｒ  第２環体
５０ＲＰ  第２環体における縫着部
５０ＲＳ  第２環体における環状部
５１Ｌ  第３環体
５１ＬＰ  第３環体における縫着部
５１ＬＳ  第３環体における環状部
５１Ｒ  第４環体
５１ＲＰ  第４環体における縫着部
５１ＲＳ  第４環体における環状部
６０Ｌ  左胴作動ベルト
６０Ｒ  右胴作動ベルト
６３Ｌ  左腰作動ベルト
６３Ｒ  右腰作動ベルト
７０Ｌ  左端部
７０Ｒ  右端部
【図１】
2016054793.tif 000003
【図２】
2016054793.tif 000004
【図３】
2016054793.tif 000005
【図４】
2016054793.tif 000006
【図５】
2016054793.tif 000007
【図６】
2016054793.tif 000008
【図７】
2016054793.tif 000009
【図８】
2016054793.tif 000010